(57)【特許請求の範囲】
【請求項１】
ハウジングを形成しているケース（２）を有する携行可能な物（１）であって、
前記ハウジングの内部に、動作させるために空気を必要とするデバイス（６）が配置され、
前記ケースには、少なくとも第１の開口（１０２、２０２、３０２、４０２）が設けられ、
当該携行可能な物は、さらに、弁システム（１００、２００、３００、４００）を備える囲いデバイス（１２）を有し、
この弁システム（１００、２００、３００、４００）は、オリフィス（１０２、２０２、３０２、４０２）が開いており空気を通す第１の安定な位置の開位置と、及びオリフィス（１０２、２０２、３０２、４０２）が閉じていて当該携行可能な物が気体も液体も通さない第２の安定な位置の閉位置とを有するように構成しており、
浸漬させた場合に前記開位置から前記閉位置への切り換えが自動的に行われ、さらに、
前記弁システム（１００、３００）は、基礎要素（１０８、３０８）を軸として回転するようにマウントされる棒体（１０６、３０６）を介して動かされるようにマウントされる弁体（１１２、３１２）を有し、前記弁体は、前記棒体の第１の端（１０６ｂ、３０６ｂ）にマウントされている
ことを特徴とする携行可能な物。
【請求項２】
前記動作させるために空気を必要とするデバイスは、亜鉛空気電池である
ことを特徴とする請求項１に記載の携行可能な物。
【請求項３】
前記動作させるために空気を必要とするデバイスは、高度計である
ことを特徴とする請求項１又は２に記載の携行可能な物。
【請求項４】
前記弁システム（２００、４００）は、アクチュエーター（２０４、４０４）によって動かされるようにマウントされている弁体（２０８、４０８）を有し、
前記アクチュエーターは、自由端に前記弁体が固定されているアーム（２０６、４０６）を有する
ことを特徴とする請求項１〜３のいずれかに記載の携行可能な物。
【請求項５】
前記アクチュエーターは、前記弁体を平行移動運動させるように動かす
ことを特徴とする請求項４に記載の携行可能な物。
【請求項６】
前記アクチュエーターは、当該携行可能な物の内部に配置された電子システム（８）によって制御される
ことを特徴とする請求項４に記載の携行可能な物。
【請求項７】
前記弁システム（１００、３００）には、さらに、押し部品（１１０、３１０）が内部に配置される第２の開口（１０４、３０４）が設けられており、
前記押し部品は、一方向への前記押し部品の動作によって前記弁体が反対方向に動くように、前記棒体の第２の端（１０６ａ、３０６ａ）に固定されている
ことを特徴とする請求項１に記載の携行可能な物。
【請求項８】
前記弁体（１１２、２０８、３１２、４０８）は、環状基礎（１１４、２１０、３１４、４１０）を有しており、
この環状基礎からステム（１１６、２１２、３１６、４１２）が延びており、このステムの自由端が棒体に固定されており、
前記環状基礎は、前記ケースと接触して前記ケースを閉じる
ことを特徴とする請求項７に記載の携行可能な物。
【請求項９】
前記第１の開口（１０２、２０２、３０２、４０２）は、より小さな直径の断面を有する縮小領域（１０２ａ、２０２ａ、３０２ａ、４０２ａ）を有し、
前記環状基礎は、前記縮小領域と接触して前記ケースを閉じる
ことを特徴とする請求項８に記載の携行可能な物。
【請求項１０】
前記弁体（２０８、４０８）は、端が円錐台になっている円筒の形態（２１４、２１６）であり、
前記第１の開口は、前記弁体を前記第１の開口に挿入することができるように、前記弁体と同様な形を有する
ことを特徴とする請求項１に記載の携行可能な物。
【請求項１１】
前記囲いデバイス（１２）は、さらに、多孔質の支持体（５０２）を有する半透膜（５００）を有し、
この半透膜（５００）上に、気体を通すが液体を通さないフィルム（５０４）が固定されており、
前記フィルムの厚みに応じて、当該携行可能な物の内側と外側の間の気体のバランスの時定数を変えることができる
ことを特徴とする請求項１〜１０のいずれかに記載の携行可能な物。
【発明の詳細な説明】
【技術分野】
【０００１】
本発明は、動作させるために空気を必要とするデバイスが内部に配置されているハウジングを形成しているケースを有する携行可能な物に関する。
【背景技術】
【０００２】
防水性であって水が存在する環境で用いることができると考えられている、腕時計、移動体電話デバイス又はタッチタブレットのような携行可能な物が知られている。このために、携行可能な物に、多くのガスケットが設けられていたり、気体と液体の両方に対する完全な不透過性を確実にする手法が用いられていたりする。測時技術では、ガスケットは、一般的には、２つの可動部品の間を密封するように用いられる。例えば、巻きボタンと巻きステムの間、又はケースの背面とケース中間部のような２つの固定された部品の間を密封するように用いられる。これらのガスケットは、一般的には、気体に対して完全な不透過性ではないが、気体に対する透過性を非常に低く維持する。顕著な透過性を有するものは、主に、非常に小さな分子によって形成されていたりガスケットによく溶けたりする気体である。
【０００３】
しかし、気体を透過させないことが問題となる用途がある。実際に、高度計タイプの用途や亜鉛空気電源が用いられる場合においては、高度計デバイス及び／又は亜鉛空気電源が内部に配置されている携行可能な物のハウジングと、携行可能な物の外側との間で、空気が流れるようになっていなければならない。
【０００４】
このような課題がある中、デバイスの不透過性を維持することが必要である。
【０００５】
また、Ｇｏｒｅ−Ｔｅｘ（登録商標）材料で作られた膜を用いることも知られている。この材料は、多孔性であることが知られている。すなわち、液体を阻止しつつ気体を通すことができる小さい大きさの多数の穴を有することが知られている。
【０００６】
しかし、この材料には短所がある。実際に、Ｇｏｒｅ−Ｔｅｘ（登録商標）タイプの材料で作られた膜は、１５〜４０ｍの限られた深さまでしか防水にならない。この深さを超えると、圧力の下で水泡は縮み、水が穴を通り抜けるようになって、材料が透過性になってしまう。
【発明の概要】
【発明が解決しようとする課題】
【０００７】
したがって、本発明は、半透過性、すなわち、液体を阻止しつつ気体を通す性質、のデバイスを有する携行可能な物を提供することによって、従来技術の課題を解決することを目的とする。
【課題を解決するための手段】
【０００８】
このために、本発明は、ハウジング又は囲いを形成しているケースを有する携行可能な物に関し、前記ハウジング又は囲いの内部に、動作させるために空気を必要とするデバイスが配置され、前記ケースには、少なくとも第１の開口が設けられ、当該携行可能な物は、さらに、弁システムを備える囲いデバイスを有し、この弁システムは、オリフィスが開いており空気を通す第１の位置の開位置と、及びオリフィスが閉じていて当該携行可能な物が気体も液体も通さない第２の位置の閉位置とを有するように構成している。
【０００９】
第１の好ましい実施形態において、前記動作させるために空気を必要とするデバイスは、亜鉛空気電池である。
【００１０】
第２の好ましい実施形態において、前記動作させるために空気を必要とするデバイスは、高度計である。
【００１１】
第３の好ましい実施形態において、前記弁システムは、アクチュエーターによって動かされるようにマウントされている弁体を有し、前記アクチュエーターは、自由端に前記弁体が固定されているアームを有する。
【００１２】
第４の好ましい実施形態において、前記アクチュエーターは、前記弁体を平行移動運動させるように動かす。
【００１３】
第５の好ましい実施形態において、前記アクチュエーターは、当該携行可能な物の内部に配置された電子システムによって制御される。
【００１４】
別の好ましい実施形態では、前記弁システムは、基礎要素を軸として回転するようにマウントされる棒体を介して動かされるようにマウントされる弁体を有し、前記弁体は、前記棒体の第１の端にマウントされている。
【００１５】
別の好ましい実施形態において、前記弁システムには、さらに、押し部品が内部に配置される第２の開口が設けられており、前記押し部品は、一方向への前記押し部品の動作によって前記弁体が反対方向に動くように、前記棒体の第２の端に固定されている。
【００１６】
別の好ましい実施形態において、前記弁体は、環状基礎を有しており、この環状基礎からステムが延びており、このステムの自由端が棒体に固定されており、前記環状基礎は、前記ケースと接触して前記ケースを閉じる。
【００１７】
別の好ましい実施形態において、前記第１の開口は、より小さな直径の断面を有する縮小領域を有し、前記環状基礎は、前記縮小領域と接触して前記ケースを閉じる。
【００１８】
別の好ましい実施形態において、前記弁体は、端が円錐台になっている円筒の形態であり、前記第１の開口は、前記弁体を前記第１の開口に挿入することができるように、前記弁体と同様な形を有する。
【００１９】
別の好ましい実施形態において、前記囲いデバイスは、さらに、多孔質の支持体を有する半透膜を有し、この半透膜上に、気体を通すが液体を通さないフィルムが固定されており、前記フィルムの厚みに応じて、当該携行可能な物の内側と外側の間の気体のバランスの時定数を変えることができる。
【００２０】
添付図面に示される本発明の少なくとも１つの実施形態についての下記の詳細な説明において、本発明に係るデバイスの目的、利点及び特徴が、より明白になるであろう。これらの実施形態は、もっぱら例として与えられるものであって、これに制限されるものではない。
【図面の簡単な説明】
【００２１】
【図１】本発明に係る携行可能な物の概略図である。
【図２】本発明に係る携行可能な物の第１の実施形態の第１の変種の概略図である。
【図３】本発明に係る携行可能な物の第１の実施形態の第２の変種の概略図である。
【図４】本発明に係る携行可能な物の第１の実施形態の第２の変種の概略図である。
【図５】本発明に係る携行可能な物の第２の実施形態の第１の変種の概略図である。
【図６】本発明に係る携行可能な物の第２の実施形態の第１の変種の概略図である。
【図７】本発明に係る携行可能な物の第２の実施形態の第２の変種の概略図である。
【図８】本発明に係る携行可能な物の第２の実施形態の第２の変種の概略図である。
【図９】本発明に係る携行可能な物の第１及び第２の実施形態の変種の概略図である。
【図１０】本発明に係る携行可能な物の第１の実施形態の第２の変種の概略図である。
【発明を実施するための形態】
【００２２】
図１〜８に、本発明に係る携行可能な物１を示している。この携行可能な物１は、計時器、移動体電話、スマートフォン又はタッチタブレットの形態であることができる。
【００２３】
携行可能な物１は、ハウジング又は囲いを形成しているケース２を有する。このハウジング又は囲いの内部には、動作させるために空気を必要とするデバイス４が内部に設けられている。
【００２４】
図１〜４に示す第１の実施形態において、動作させるために空気を必要とするデバイス４は、電池６である。この電池は、例えば、亜鉛空気タイプの電池、すなわち、構成要素である金属を酸化させて電気を供給するために空気中の酸素を用いる電池である。このような亜鉛空気電池を動作させ続けるためには、酸素を供給しなければならない。しかし、空気に対する透過性、特に、蒸気に対する透過性は、大きすぎてはならない。透過性が大きすぎると、電池が乾燥しすぎたり水分で氾濫したりしてしまい、性能を落としてしまう。
【００２５】
このような電池が、表示手段１０に関連づけられた電子システム８を動作させるために用いられる。電子システム８は、さらに、制御手段及び／又は通信手段を有することができる。
【００２６】
好ましいことに、本発明によると、携行可能な物には、さらに、この携行可能な物が液体を通さないことを確実にしつつ電池に空気が供給されることを可能にする囲いデバイス１２が設けられている。このような囲いデバイス１２は、携行可能な物を１００ｍより深く２００ｍまでの深さまで沈めることを可能にする。
【００２７】
図２に示す第１の実施形態において、携行可能な物のケース２は、第１の開口又はオリフィス１０２と、及びケースの裏にある第２の開口１０４とが設けられているように構成している。第１の開口１０２及び第２の開口１０４は、好ましくは、環状である。そして、囲いデバイス１２は、弁システム１００の形態となっている。この弁システム１００は、回転軸アーバー１０６ｃを介して基礎要素１０８を軸として回転するようにマウントされている棒体１０６を有する。この基礎要素は、ケース２の内側面２ａ上に配置されている。棒体１０６は、第１の端１０６ａ及び第２の端１０６ｂを有する。
【００２８】
第１の端１０６ａは、押し部品１１０と連係するように構成している。押し部品１１０は、第２の開口１０４に挿入されるものであり、第１の開口１０２は、空気が入ることを可能にする開口である。この押し部品１１０は、断面が第２の開口１０４の断面と同一の部品であり、円筒状部品を形成している。この押し部品を形成している円筒状部品は、携行可能な物の外側から見ることができる外側端１１０ａと、及び内側端１１０ｂとを有する。この押し部品１１０の内側端１１０ｂは、溝１１０ｃを介して棒体１０６に連結しており、この押し部品の運動によって棒体が傾く。
【００２９】
押し部品の断面を一定ではないようにすることができる。実際に、第２の開口１０４には、直径が小さくなっている小径部１０４ａを設けることができる。この小径部１０４ａによって、押し部品１１０がケース２の内側に押し込まれることを防ぐ止めメンバーが作られる。
【００３０】
棒体の第２の端において、弁体１１２が設けられている。この弁体１１２は、環状基礎１１４の形態である。この環状基礎１１４から、ステム１１６が延びており、ステム１１６の自由端は、棒体１０６に固定されている。このように、弁体１１２が、第１の開口１０２を閉じるために用いられる。
【００３１】
第１の開口１０２に、より小さな直径の断面を有する縮小領域１０２ａを設けることができる。この縮小領域１０２ａは、弁体１１２と連係して開口１０２を開いたり閉じたりするように用いられる。
【００３２】
実際に、棒体１０６をその回転軸アーバー１０６ｃに対して傾けることによって縮小領域１０２ａに対する弁体１１２の位置が変わるように、弁体１１２は棒体１０６と統合されている。したがって、押し部品がケース２の内側に押し込まれると、棒体は、その回転軸アーバー１０６ｃを軸として傾く。そして、弁体１１２は反対方向に動く。まさにこのときに、弁体１１２は縮小領域１０２ａから離れる。これによって、空気がケース２内に入ることが可能になる。
【００３３】
押し部品１１０がケース２の外側の方に引っ張られると、棒体１０６は、その回転軸アーバー１０６ｃを軸として傾く。そして、弁体１１２は、反対方向に動く。この場合、縮小領域１０２ａに近くなるように動く。縮小領域１０２ａと弁体１１２が接触して、空気を阻止してケース２内に入ることを防ぐ。押し部品１１０には、その外側端１１０ａにおいて、溝１１０ｄを設けることができ、これによって、押し部品１１０をつかみやすくする。押し部品１１０が弁体１１２を開かせる押し込み位置にあっても、押し部品１１０はケース２２から突き出ており、これによって、押し部品１１０がつかみやすくなる。
【００３４】
このように、弁体１１２は、開口が開いており空気を通すことができるような第１の位置の開位置と、及び開口が閉じており携行可能な物が気体も液体も通さないような第２の位置の閉位置とを有するように構成している。
【００３５】
水が存在する環境と接触した場合に、弁システム１００を巧みに自動的に閉じるようにすることができる。実際に、弁体１１２が開位置にある場合、ケース内に空気が入る。しかし、ユーザーが急に飛び込んで水が存在する環境になったり、押し部品が押し込み位置にあることを忘れたりした場合、ケース２内に水が急に入り、故障させてしまうことがある。したがって、棒体１０６は、可撓性の材料で作られる。この性質は、水が存在する環境に携行可能な物１が浸漬された場合に、棒体１０６に水圧がかけられることを意味している。この圧力によって、棒体１０６が変形し、したがって、弁体１１２が変位して縮小領域に押される。そして、第１の開口１０２が閉じて、携行可能な物１が不透過性になる。
【００３６】
別の変種において、縮小領域１０２ａにガスケット１１８を設けることができる。このガスケット１１８は、弁体１１２の基礎１１４と縮小領域１０２ａの間に挿入されて、液体に対する不透過性を良くする。
【００３７】
別の変種において、止めメンバー１２０が、ケース２の下側面２ａ上に配置されている。この止めメンバー１２０は、弁体１１２の移動距離を制限するように用いられる。
【００３８】
別の変種において、押し部品を押すと弁体１１２が閉じて、押し部品を引っ張ると弁体１１２が開くように、弁システム１００を構成することができる。
【００３９】
第２の変種において、携行可能な物のケース２に、第１の開口又はオリフィス２０２が設けられており、これによって、ケースの裏にある大きな体積の空気を通すことが可能になる。このとき、囲いデバイス１２は、アクチュエーターによって制御される弁システム２００の形態である。この弁システム２００は、アーム２０６を介して弁体２０８に接続されるアクチュエーター２０４を有する。このアクチュエーターは、電子システム８にて集積されているマイクロコントローラーによって制御されており、電子システム８は、アクチュエーター２０４を自動的に制御したり、制御手段を介してユーザーから手動のコマンドを送ったりすることができる。このとき、アクチュエーター２０４は、弁体２０８を平行移動するように動かして、第１の開口２０２を閉じたり開いたりする。このように、弁体２００は、開口が開いていて空気を通すことができる第１の位置の開位置と、及び開口が閉じていて携行可能な物が気体も液体も通さない第２の位置の閉位置とを有するように構成している。
【００４０】
図３に示す第１の代替形態において、弁体は、環状基礎２１０の形態である。この環状基礎２１０からステム２１２が延びており、その自由端は、アーム２０６に固定されており、したがって、アクチュエーター２０４に接続されている。そして、第１の開口２０２には、直径が小さくなっている断面を有する縮小領域２０２ａが設けられている。この縮小領域２０２ａは、弁体２０８と連係して開口２０２を開いたり閉じたりするように用いられる。
【００４１】
実際に、電池が空気を必要とするとユーザー又はマイクロコントローラーが判断すると、アクチュエーターにコマンドが送られる。このコマンドは、空気が自由にアクセスできるように弁体２０８に作用するようにアクチュエーター２０４に命令する。そして、アクチュエーター２０４は、アーム２０６を介して弁体２０２を動かすように動作し始める。電池が空気を必要とする場合、弁体２０８が縮小領域２０２ａから離される。
【００４２】
電池のために十分な空気があること又は外部環境から電池を隔離する必要があることをユーザー又はマイクロコントローラーが判断すると、アクチュエーター２０４にコマンドが送られる。このコマンドは、弁体２０８に作用して空気のアクセスを阻止するようにアクチュエーター２０４に命令する。そして、アクチュエーター２０４は、アーム２０６を介して弁体２０２を動かすように動作し始める。このような場合、弁体２０８は、縮小領域２０２ａと接触するように動いて空気のアクセスを阻止する。
【００４３】
この第１の代替形態の変種において、縮小領域２０２ａにガスケット２１４を配置する。このガスケット２１４は、弁体２０８の基礎２１０と縮小領域２０２ａの間に挿入され、液体に対する不透過性を向上させる。
【００４４】
図４に示す第２の代替形態において、弁体２０８は、シェル２１６のような形状を有する。すなわち、端が円錐台となっている円筒の形態である。また、第１の開口２０２は、弁体２０８を開口２０２内に挿入することができるような貝殻状である。弁体２０８と開口２０２が同様な形を有するので、弁体２０８が開口の円錐形の部分にて安置され、閉じ効率を向上させる。
【００４５】
したがって、第１の開口２０２は、摩擦によって弁体２０８を介して閉じられる。実際に、電池に十分な空気がある又は外部環境から電池を隔離する必要があるとユーザー又はマイクロコントローラーが判断すると、アクチュエーター２０４にコマンドが送られる。このコマンドは、弁体２０８に作用して空気アクセスを閉じるようにアクチュエーター２０４に命令する。そして、アクチュエーター２０４は、アームを介して弁体を動かすように動作し始める。弁体及び第１の開口が同様の形を有するので、弁体が開口内に嵌まる。開口内に弁体を嵌めることによって、開口が閉じる。
【００４６】
第１及び第２の代替形態において、適していない環境においてケース２が偶発的に開いてしまう問題を解決することができる。実際に、取り扱いの誤りが発生したり、マイクロコントローラーが酸素欠乏を検出してケース２を開くことを試みたりすることがある。したがって、この問題を回避するために、アクチュエーター２０４は、弁体２０８に大きな圧力が与えられている場合には、アクチュエーター２０４が与える力が第１の開口２０２を開くためには不十分であるような寸法構成を有する。したがって、マイクロコントローラーが弁体２０８を開くことを試みても、水によって与えられる圧力によって、アクチュエーター２０４によって弁体２０８が動くことができなくなる。
【００４７】
もちろん、弁体は、縮小領域２０２ａの開口２０２が設けられている側に位置するように構成していても他方の側に位置するように構成していてもよい。縮小領域の一方の側又は他の側に位置するこのような弁体の構成によって、開口２０２を開いたり閉じたりするのに必要な平行移動運動が定まる。したがって、図３に示すように、弁体２０２がケースの外壁上にて配置される場合、アームを短くする傾向がある平行移動運動、すなわち、弁体とアクチュエーターの間の距離が小さくなる平行移動運動によって、オリフィスが閉じる。他方で、図１０におけるように、弁体２０８がケースの内壁上に配置されている場合、同じ平行移動運動によってオリフィスが開く。
【００４８】
図５に示す第２の好ましい実施形態において、動作のために空気を必要とするデバイス４は、高度計７である。高度計７は、機械式であっても電子式であってもよく、変形可能な膜７ａを有する。
【００４９】
機械式高度計の場合には、高度計７は、伝達機構７ｂを有する。膜７ａは、この場合に伝達デバイス７ｂに作用する外圧の影響の下で、機械的に変形することができる。このように、伝達機構７ｂは、圧力を反映する膜７ａに起因する変形の運動を、高度値を表示する表示手段１０へと変換する。
【００５０】
電子式高度計（図示せず）の場合には、電子式高度計は、伝達回路７ｃを有する。膜７ａは、この場合に伝達回路７ｃに作用する外圧の影響の下で機械的に変形することができる。伝達回路７ｃは、膜の変形を電気信号に変換することを可能にするインタフェースである。この電気信号は、表示手段１０によって高度の情報を表示するために用いられることができるように処理される。
【００５１】
好ましいことに、本発明によると、携行可能な物１には、さらに、囲いデバイス１２が設けられている。これによって、空気が携行可能な物のハウジングを通り抜けて、水が透過することがなく高度計の膜７ａと相互作用することが可能になる。
【００５２】
図６に示す第１の変種では、携行可能な物のケース２には、ケースの裏に第１の開口３０２及び第２の開口３０４が設けられているように構成している。これによって、多量の空気を通すことができる。第１の開口３０２及び第２の開口３０４は、好ましくは、環状である。そして、囲いデバイス１２は、弁システム３００の形態である。この弁システム３００は、回転軸アーバー３０６ｃを介して基礎要素３０８を軸として回転するようにマウントされている棒体３０６を有する。基礎要素３０８は、ケース２の内側面２ａ上に配置されている。棒体３０６は、第１の端３０６ａ及び第２の端１０６ｂを有する。
【００５３】
第１の端３０６ａは、押し部品３１０と連係するように構成しており、押し部品３１０は、第２の開口内に挿入される。この押し部品３１０は、断面が第２の開口３０４の断面と同一であって円筒状部を形成している部品である。押し部品を形成している円筒状部品は、携行可能な物の外側から見ることができる外側端３１０ａと、及び内側端３１０ｂとを有する。押し部品３１０のこの内側端３１０ｂは、押し部品の運動が棒体を傾けさせるように、溝３１０ｃを介して棒体３０６に連結している。
【００５４】
押し部品の断面が一定ではないようにすることができる。実際に、第２の開口３０４に、直径が減少している小径部３０４ａを設けることができる。この小径部３０４ａは、押し部品３１０がケース２の内側に押し込まれることを防ぐ止めメンバーを形成している。
【００５５】
棒体の第２の端に、弁体３１２が配置している。この弁体３１２は、環状基礎３１４の形態である。この環状基礎３１４からステム３１６が延びており、ステム３１６の自由端は棒体３０６に固定されている。このようにして、第１の開口３０２を閉じるために弁体３１２が用いられる。
【００５６】
第１の開口３０２に、より小さな直径の断面を有する縮小領域３０２ａを設けることができる。この縮小領域３０２ａは、弁体３１２と連係して開口３０２を開いたり閉じたりするように用いられる。
【００５７】
実際に、棒体３０６のその回転軸アーバー３０６ｃに対しての傾きが、縮小領域３０２ａに対する弁体３１２の位置の変化をもたらすように、弁体３１２は棒体３０６と統合されている。したがって、押し部品がケース２の内側に押し込まれると、棒体は、その回転軸アーバー３０６ｃを軸として傾く。そして、弁体３１２が反対方向に動く。まさにこのときに、弁体３１２は、縮小領域３０２ａから離れて、空気がケース２内に入ることができる。
【００５８】
押し部品３１０がケース２の外側の方へ引っ張られると、棒体３０６はその回転軸アーバー３０６ｃを軸として回転する。そして、この場合、弁体３１２が反対方向に動き、縮小領域３０２ａに近くなる。縮小領域３０２ａと弁体３１２が接触して空気を阻止し、空気がケース２内に入ることを防ぐ。押し部品３１０に、その外側端３１０ａにて、溝３１０ｄを設けることができ、これによって、押し部品３１０のつかみが促進される。押し部品３１０が押し込み位置にあって弁体３１２が開くことが可能である場合であっても押し部品３１０がケース２２から突き出ているようにして、押し部品３１０のつかみを促進することができる。
【００５９】
水が存在する環境と接触した場合に、弁システム１２を巧みに自動的に閉じるようにすることができる。実際に、弁体３１２が開位置にある場合、ケース内に空気が入る。しかし、ユーザーが急に飛び込んで水が存在する環境になったり、押し部品が押し込み位置にあることを忘れたりした場合、ケース２内に水が急に入り、故障させてしまうことがある。したがって、棒体３０６は、可撓性の材料で作られる。この性質は、水が存在する環境に携行可能な物１が浸漬された場合に、棒体３０６に水圧がかけられることを意味している。この圧力によって、棒体３０６が変形し、したがって、弁体３１２が変位して縮小領域に押される。そして、第１の開口３０２が閉じて、携行可能な物１が不透過性になる。
【００６０】
別の変種において、縮小領域３０２ａにガスケット３１８を設けることができる。このガスケット３１８は、弁体３１２の基礎３１４と縮小領域３０２ａの間に挿入されて、液体に対する不透過性を良くする。
【００６１】
別の変種において、止めメンバー３２０が、ケース２の下側面２ａ上に配置されている。この止めメンバー３２０は、弁体３１２の移動距離を制限するように用いられる。
【００６２】
第２の変種において、携行可能な物のケース２に、第１の開口又はオリフィス４０２が設けられており、これによって、ケースの裏にある大きな体積の空気を通すことが可能になる。このとき、囲いデバイス１２は、アクチュエーターによって制御される弁システム４００の形態である。この弁システム４００は、アーム４０６を介して弁体４０８に接続されるアクチュエーター４０４を有する。このアクチュエーターは、電子システム８にて集積されているマイクロコントローラーによって制御されており、電子システム８は、アクチュエーター４０４を自動的に制御したり、制御手段を介してユーザーから手動のコマンドを送ったりすることができる。このとき、アクチュエーター４０４は、弁体４０８を平行移動するように動かして、第１の開口４０２を閉じたり開いたりする。このように、弁体４００は、開口が開いていて空気を通すことができる第１の位置の開位置と、及び開口が閉じていて携行可能な物が気体も液体も通さない第２の位置の閉位置とを有するように構成している。
【００６３】
アクチュエーターを用いるこのようなシステムによって、オンデマンドで弁体を開くことができ、リモートコントローラー又はリモートコントローラーとしてはたらくデバイスを介して弁体がはたらくようにすることができる。
【００６４】
図７に示す第１の代替形態において、弁体は、環状基礎４１０の形態である。この環状基礎４１０からステム４１２が延びており、その自由端は、アーム４０６に固定されており、したがって、アクチュエーター４０４に接続されている。そして、第１の開口４０２には、直径が小さくなっている断面を有する縮小領域４０２ａが設けられている。この縮小領域４０２ａは、弁体４０８と連係して開口４０２を開いたり閉じたりするように用いられる。
【００６５】
実際に、電池が空気を必要とするとユーザー又はマイクロコントローラーが判断すると、アクチュエーターにコマンドが送られる。このコマンドは、空気が自由にアクセスできるように弁体４０８に作用するようにアクチュエーター４０４に命令する。そして、アクチュエーター４０４は、アーム４０６を介して弁体４０８を動かすように動作し始める。高度測定のためにハウジングに空気を供給する必要がある場合、弁体４０８は縮小領域４０２ａから離れる。
【００６６】
電池のために十分な空気があること又は外部環境から電池を隔離する必要があることをユーザー又はマイクロコントローラーが判断すると、アクチュエーター４０４にコマンドが送られる。このコマンドは、弁体４０８に作用して空気のアクセスを阻止するようにアクチュエーター４０４に命令する。そして、アクチュエーター４０４は、アーム４０６を介して弁体４０２を動かすように動作し始める。このような場合、弁体４０８は、縮小領域４０２ａと接触するように動いて空気のアクセスを阻止する。
【００６７】
この第１の代替形態の変種において、縮小領域４０２ａにガスケット４１４を配置する。このガスケット４１４は、弁体４０８の基礎４１０と縮小領域４０２ａの間に挿入され、液体に対する不透過性を向上させる。
【００６８】
図８に示す第２の代替形態において、弁体４０８は、シェル４１６のような形状を有する。すなわち、端が円錐台となっている円筒の形態である。また、第１の開口４０２は、弁体４０８を開口４０２内に挿入することができるような貝殻状である。弁体４０８と開口４０２が同様な形を有するので、弁体４０８が開口の円錐形の部分にて安置され、閉じ効率を向上させる。
【００６９】
したがって、第１の開口４０２は、摩擦によって弁体４０８を介して閉じられる。実際に、外部環境から高度計を隔離する必要があるとユーザー又はマイクロコントローラーが判断すると、アクチュエーター４０４にコマンドが送られる。このコマンドは、弁体４０８に作用して空気アクセスを閉じるようにアクチュエーター４０４に命令する。そして、アクチュエーター４０４は、アームを介して弁体を動かすように動作し始める。弁体及び第１の開口が同様の形を有するので、弁体が開口内に嵌まる。開口内に弁体を嵌めることによって、開口が閉じる。
【００７０】
第１及び第２の代替形態において、適していない環境においてケース２が偶発的に開いてしまう問題を解決することができる。実際に、取り扱いの誤りが発生したり、マイクロコントローラーが酸素欠乏を検出してケース２を開くことを試みたりすることがある。したがって、この問題を回避するために、アクチュエーター４０４は、弁体４０８に大きな圧力が与えられている場合には、アクチュエーター４０４が与える力が第１の開口４０２を開くためには不十分であるような寸法構成を有する。したがって、マイクロコントローラーが弁体４０８を開くことを試みても、水によって与えられる圧力によって、アクチュエーター４０４によって弁体４０８が動くことができなくなる。
【００７１】
図９に示す第１及び第２の実施形態の変種において、携行可能な物のケースは、高密度膜５００を有するように構成している。この高密度膜５００は、携行可能な物の外側と、弁システム１００、２００の間に配置される。したがって、開口に肩部２０２ｂが設けられる。この肩部２０２ｂの直径は、開口１０２の直径よりも大きい。
【００７２】
高密度膜５００は、「支持される膜」や「複合膜」とも呼ばれており、フィルム５０４で作られ、すべてのプラスチックのように気体に対して透過性であるが１００％防水性の重合体である。
【００７３】
したがって、フィルム５０４の使用するために、支持体５０２上に置かれなければならない。これも膜であるが、はるかに厚い。この支持膜は、空気が通り抜けるような多孔性である。支持膜５０２の唯一の機能は機械的である。なぜなら、支持膜５０２の唯一の目的がポリマーフィルム５０４の支持体としてはたらくことであるからである。例えば、Ｇｏｒｅ−Ｔｅｘ（登録商標）で作られた支持膜を使用することができる。
【００７４】
高密度膜５００を通り抜ける気流を規制するために、作用するパラメーターは、フィルム５０４の厚みである。フィルム５０４が薄いほど、そして、流れが大きいほど、膜５０４が脆弱になり、逆も正しい。
【００７５】
通常、携行可能な物の内側と外側の間の気体の平衡のための時定数を分のオーダーで有するためには、フィルム厚み５０４は１０μｍのオーダーでなければならない。
【００７６】
この高密度膜は、カバー５０６によって外部環境から保護される。ケース中間部にカバー５０６をねじ付けしたりクランプしたりすることができ、Ｏリングジョイント３０８を密封のために用いることができる。カバー５０６には、オリフィス５０７が設けられており、これによって、空気がケース内に入ることが可能になる。
【００７７】
この変種の第１の利点は、囲いの弁体が常に乾燥しているということである。
【００７８】
また、弁システムを高密度膜と組み合わせることによって、不注意に開けた場合でも水が氾濫するリスクを回避することができる。実際に、２つの密封システムが提供されて、弁システムが故障したりユーザーが弁システムを閉じることを忘れたりしても、高密度膜は存在し続ける。
【００７９】
この変種は、さらに、マイクロコントローラーが腕時計の内部の気流を制御することを可能にする。
【００８０】
なお、第１の実施形態の代替変種を第２の実施形態の変種に適用可能であることを理解することができるであろう。
【００８１】
本明細書において説明した本発明の様々な実施形態に対して、当業者に明らかな様々な変更及び／又は改善を本発明の範囲から逸脱せずに行うことができることは明らかである。
【図１】
0006328328.tif 000002
【図２】
0006328328.tif 000003
【図３】
0006328328.tif 000004
【図４】
0006328328.tif 000005
【図５】
0006328328.tif 000006
【図６】
0006328328.tif 000007
【図７】
0006328328.tif 000008
【図８】
0006328328.tif 000009
【図９】
0006328328.tif 000010
【図１０】
0006328328.tif 000011